(57)【要約】【課題】簡易に最大酸素摂取量の推定値を算出できる生体情報分析装置、生体情報分析システム及び生体情報分析プログラムを提供すること。【解決手段】生体情報分析装置は、使用者の生体情報、使用者の体動を示す体動情報及び使用者に関連する使用者情報を取得する情報取得部３６５と、それぞれ取得された生体情報、体動情報及び使用者情報を記憶する記憶部と、所定の期間における生体情報及び体動情報に基づいて、使用者の運動習慣レベルを決定するレベル決定部３６７と、運動習慣レベル及び使用者情報に基づいて、使用者の最大酸素摂取量を推定する推定部（推定値算出部３６８）と、を有する。【選択図】図７
2016123816.tif 000002
【特許請求の範囲】
【請求項１】
使用者の生体情報、前記使用者の体動を示す体動情報及び前記使用者に関連する使用者情報を取得する情報取得部と、
それぞれ取得された前記生体情報、前記体動情報及び前記使用者情報を記憶する記憶部と、
所定の期間における前記生体情報及び前記体動情報に基づいて、前記使用者の運動習慣レベルを決定するレベル決定部と、
前記運動習慣レベル及び前記使用者情報に基づいて、前記使用者の最大酸素摂取量を推定する推定部と、を有することを特徴とする生体情報分析装置。
【請求項２】
請求項１に記載の生体情報分析装置において、
前記使用者情報に基づいて分類されるグループにおける前記最大酸素摂取量の値の分布を提示する提示部を有することを特徴とする生体情報分析装置。
【請求項３】
請求項２に記載の生体情報分析装置において、
前記提示部は、前記分布における前記使用者の前記最大酸素摂取量の推定値に対応する位置を提示することを特徴とする生体情報分析装置。
【請求項４】
請求項１から請求項３のいずれか一項に記載の生体情報分析装置において、
前記使用者情報及び前記最大酸素摂取量の推定値に基づいて前記使用者の運動能力を示す運動能力指標を算出する指標算出部と、
算出された前記運動能力指標を提示する指標提示部と、を有することを特徴とする生体情報分析装置。
【請求項５】
請求項１から請求項４のいずれか一項に記載の生体情報分析装置において、
前記生体情報、前記体動情報、及び前記運動習慣レベルのうち少なくともいずれかに基づいて前記使用者の運動能力を示す運動能力指標を算出する指標算出部と、
算出された前記運動能力指標を提示する指標提示部と、を有することを特徴とする生体情報分析装置。
【請求項６】
請求項１から請求項５のいずれか一項に記載の生体情報分析装置において、
前記使用者の前記最大酸素摂取量の推定値の推移を前記最大酸素摂取量が推定された日時と関連付けて提示する推移情報提示部を有することを特徴とする生体情報分析装置。
【請求項７】
請求項４又は請求項５に記載の生体情報分析装置において、
前記使用者の前記最大酸素摂取量の推定値の推移とともに、前記運動能力指標の推移を前記最大酸素摂取量が推定された日時と関連付けて提示する推移情報提示部を有することを特徴とする生体情報分析装置。
【請求項８】
請求項１から請求項７のいずれか一項に記載の生体情報分析装置において、
前記使用者情報は、前記使用者の年齢、性別、身長及び体重を含むことを特徴とする生体情報分析装置。
【請求項９】
請求項１から請求項８のいずれか一項に記載の生体情報分析装置と、
前記使用者に装着される検出装置と、を備え、
前記検出装置は、
前記使用者の生体情報を検出する生体情報検出部と、
前記使用者の体動情報を検出する体動情報検出部と、
前記生体情報及び前記体動情報を前記生体情報分析装置に送信する検出装置側送信部と、を有することを特徴とする生体情報分析システム。
【請求項１０】
コンピューターにより読み込み実行される生体情報分析プログラムであって、
前記コンピューターを、請求項１から請求項８のいずれか一項に記載の生体情報分析装置として機能させる
ことを特徴とする生体情報分析プログラム。
【発明の詳細な説明】
【技術分野】
【０００１】
本発明は、生体情報分析装置、生体情報分析システム及び生体情報分析プログラムに関する。
【背景技術】
【０００２】
従来、被験者の呼気データ（例えば、酸素濃度及び炭酸ガス濃度等）を検出し、当該呼気データに基づく数値に応じた健康管理を実行する気相系呼吸機能検査システムが提案されている（例えば、特許文献１参照）。
この特許文献１に記載の気相系呼吸機能検査システムは、トレッドミル、マウスピース（マスク）、サンプリングチューブ、フローセンサー、赤外線ＣＯ２センサー、ジルコニア式Ｏ２センサー及びマイクロコンピューターを備えている。このようなシステムを用いて、最大酸素摂取量（ＶＯ２ｍａｘ）を測定する場合、被験者は、口にマスクを装着した状態で当該トレッドミル上を走行する。この被験者の呼気は、マスクに接続されたサンプリングチューブを介してフローセンサーと赤外線ＣＯ２センサーとに分配される。このフローセンサーは、呼気の流量を測定し、赤外線ＣＯ２センサーは、炭酸ガス濃度を検出する。また、赤外線ＣＯ２センサーを通過した呼気は、ジルコニア式Ｏ２センサーに導かれ、当該Ｏ２センサーにより酸素濃度が検出されて、マイクロコンピューターに送信される。そして、マイクロコンピューターは、フローセンサー、赤外線ＣＯ２センサー及びジルコニア式Ｏ２センサーから送信された呼気の流量、炭酸ガス濃度及び酸素濃度から最大酸素摂取量を算出及び測定する。
【先行技術文献】
【特許文献】
【０００３】
【特許文献１】特開２０００−３１６８３４号公報
【発明の概要】
【発明が解決しようとする課題】
【０００４】
しかしながら、上記特許文献１に記載の気相系呼吸機能検査システムは、トレッドミル、マスク及び各種センサーを備えることから、大型かつ高価であるため、容易に導入できるものではない。また、上記マスクを装着した状態で、徐々に負荷をあげていくという身体に負担のかかる運動を行わなければ最大酸素摂取量を測定できないため、身体の弱い使用者や、体調の悪い使用者の最大酸素摂取量を測定しづらいという問題があった。
【０００５】
本発明は、上述の課題の少なくとも一部を解決することを目的としたものであり、簡易に最大酸素摂取量の推定値を算出できる生体情報分析装置、生体情報分析システム及び生体情報分析プログラムを提供することを目的とする。
【課題を解決するための手段】
【０００６】
本発明の第１態様に係る生体情報分析装置は、使用者の生体情報、前記使用者の体動を示す体動情報及び前記使用者に関連する使用者情報を取得する情報取得部と、それぞれ取得された前記生体情報、前記体動情報及び前記使用者情報を記憶する記憶部と、所定の期間における前記生体情報及び前記体動情報に基づいて、前記使用者の運動習慣レベルを決定するレベル決定部と、前記運動習慣レベル及び前記使用者情報に基づいて、前記使用者の最大酸素摂取量を推定する推定部と、を有することを特徴とする。
【０００７】
なお、生体情報としては、脈波信号から導出される脈波情報（たとえば脈拍数、脈波間隔）を例示でき、体動情報としては、当該使用者の体動に伴って作用する加速度値を例示できる。また、使用者情報としては、当該使用者の年齢、性別、ＢＭＩ（ボディマス指数：Body Mass Index）等を例示でき、所定の期間としては、１週間を例示できる。
更に、運動習慣レベルは、上記所定の期間内における生体情報及び体動情報に基づく運動の頻度や、実施される運動の強度等に応じた使用者の運動習慣を段階的に設定した数値等により表したレベルを例示できる。
加えて、推定部による最大酸素摂取量の推定方法としては、いわゆるジャクソンの式（Jackson AS, Blair SN, Mahar MT, Wier LT, Ross RM, Stuteville JE: Prediction of functional aerobic capacity exercise testing. Med Sci Sports Exerc 1990,22:863-870 参照）を用いることを例示できる。このジャクソンの式を用いた算出方法が採用される場合には、上記使用者情報として、使用者の年齢、性別、身長及び体重が取得され、かつ、上記運動習慣レベル（上記数値「０」〜「１０」）が取得されていれば、これらの値を上記ジャクソンの式に代入することにより、使用者の最大酸素摂取量を推定できる。なお、上記推定された最大酸素摂取量を最大酸素摂取量の推定値という場合がある。
【０００８】
上記第１態様によれば、使用者の所定の期間内の生体情報及び体動情報に基づいて当該使用者の運動習慣レベルを決定でき、当該決定した運動習慣レベル及び使用者情報に基づいて、例えば上記ジャクソンの式を用いた最大酸素摂取量の推定値の算出方法を採用することにより、最大酸素摂取量を推定できる。従って、上記特許文献１に記載の気相系呼吸機能検査システムのように、マスクを装着した状態で負荷のかかる運動を行なうことなく、使用者の最大酸素摂取量を容易に推定できる。この他、トレッドミルを必ずしも利用しなくても当該最大酸素摂取量を推定できるので、比較的簡易な構成により、使用者の最大酸素摂取量を推定できる。
また、上記特許文献１に記載の気相系呼吸機能検査システムでは、最大酸素摂取量を測定するために、使用者は、マスクを装着した上で運動する必要があり、衛生的な問題が生じる可能性がある。これに対し、上記第１態様では、マスクを装着する必要がないので、衛生的に最大酸素摂取量を推定できる。
【０００９】
上記第１態様では、前記使用者情報に基づいて分類されるグループにおける前記最大酸素摂取量の値の分布を提示する提示部を有することが好ましい。
【００１０】
なお、上記グループとしては、例えば、使用者の性別及び年齢が同一であるグループの他、日常的な運動を開始してからの期間が同じであるグループ、及び、同じ器具あるいはセンサー（生体情報分析装置）を用いている使用者のグループが挙げられる。
上記第１態様によれば、上記グループにおける最大酸素摂取量の値の分布が提示されるので、当該グループの分布を容易に認識できる。また、複数のグループにおける最大酸素摂取量の値の分布が提示されれば、使用者は、グループごとの最大酸素摂取量の値の分布を比較できる。
【００１１】
上記第１態様では、前記提示部は、前記分布における前記使用者の前記最大酸素摂取量の推定値に対応する位置を提示することが好ましい。
上記第１態様によれば、上記グループの最大酸素摂取量の値の分布における当該使用者の最大酸素摂取量の推定値に対応する位置を認識できる。これによれば、使用者は、自己の立ち位置、すなわち、他者に対する自己の最大酸素摂取量の推定値を客観的に認識できる。従って、使用者の運動意欲を高めることができる。
【００１２】
上記第１態様では、前記使用者情報及び前記最大酸素摂取量の推定値に基づいて前記使用者の運動能力を示す運動能力指標を算出する指標算出部と、算出された前記運動能力指標を提示する指標提示部と、を有することが好ましい。
なお、上記運動能力指標としては、使用者の長距離走（例えばフルマラソン）の予想タイム等を例示できる。
上記第１態様によれば、使用者の運動能力指標を提示できるので、最大酸素摂取量に関する詳しい知識を有さない使用者であっても、自身の運動能力を簡易に把握できる。また、これにより、より一層、使用者の運動意欲を高めることができる。
【００１３】
上記第１態様では、前記生体情報、前記体動情報、及び前記運動習慣レベルのうち少なくともいずれかに基づいて前記使用者の運動能力を示す運動能力指標を算出する指標算出部と、算出された前記運動能力指標を提示する指標提示部と、を有するを有することが好ましい。
上記第１態様によれば、使用者の運動能力指標を提示できるので、最大酸素摂取量に関する詳しい知識を有さない使用者であっても、自身の運動能力を簡易に把握できる。また、これにより、より一層、使用者の運動意欲を高めることができる。
【００１４】
上記第１態様では、前記使用者の前記最大酸素摂取量の推定値の推移を前記最大酸素摂取量が推定された日時と関連付けて提示する推移情報提示部を有することが好ましい。
上記第１態様によれば、使用者の最大酸素摂取量の推定値の推移を提示できるので、使用者は、客観的な自己の最大酸素摂取量の推移を容易に把握できる。また、これにより、使用者の運動意欲を高めることができる。
【００１５】
上記第１態様では、前記使用者の前記最大酸素摂取量の推定値の推移とともに、前記運動能力指標の推移を前記最大酸素摂取量が推定された日時と関連付けて提示する推移情報提示部を有することが好ましい。
上記第１態様によれば、最大酸素摂取量の推定値の推移と運動能力指標とを同時に提示できるので、最大酸素摂取量に関する詳しい知識を有さない使用者であっても、自身の運動能力と最大酸素摂取量の推定値との関係を容易に把握できる。また、これにより、より一層、使用者の運動意欲を高めることができる。
【００１６】
上記第１態様では、前記使用者情報は、前記使用者の年齢、性別、身長及び体重を含むことが好ましい。
上記第１態様では、使用者の身長及び体重を取得できるので、ＢＭＩを算出できる。これによれば、使用者情報としてＢＭＩの値を取得できなくても、上記ジャクソンの式を用いて最大酸素摂取量の推定値を確実に算出できる。従って、使用者の利便性を高めることができる。
【００１７】
本発明の第２態様に係る生体情報分析システムは、上述した生体情報分析装置と、前記使用者に装着される検出装置と、を備え、前記検出装置は、前記使用者の生体情報を検出する生体情報検出部と、前記使用者の体動情報を検出する体動情報検出部と、前記生体情報及び前記体動情報を前記生体情報分析装置に送信する検出装置側送信部と、を有することを特徴とする。
【００１８】
上記第２態様によれば、上記第１態様に係る生体情報分析装置と同様の効果を奏することができる。また、生体情報分析装置は、検出装置により使用者の生体情報及び体動情報が検出され、当該生体情報分析装置に送信されることから、生体情報分析装置が当該生体情報及び体動情報を検出する検出部を備える必要がない。従って、使用者は、検出装置を装着することにより、使用者の運動習慣レベルを算出するための生体情報及び体動情報を取得できるので、使用者による入力操作によって当該生体情報及び体動情報が取得される場合に比べて、最大酸素摂取量の推定値の算出を容易に実施させることができる。
【００１９】
本発明の第３態様に係る生体情報分析プログラムは、コンピューターにより読み込み実行される生体情報分析プログラムであって、前記コンピューターを、上述した生体情報分析装置として機能させることを特徴とする。
上記第３態様によれば、当該プログラムをコンピューターに実行させることにより、当該コンピューターによって、上記第１態様に係る生体情報分析装置と同様の効果を奏することができる。
【図面の簡単な説明】
【００２０】
【図１】本発明の第１実施形態に係る生体情報分析システムを示す模式図。
【図２】上記第１実施形態における生体情報検出装置の構成を示すブロック図。
【図３】上記第１実施形態における生体情報検出装置の制御部の構成を示すブロック図。
【図４】上記第１実施形態における情報処理装置の構成を示すブロック図。
【図５】上記第１実施形態における情報処理装置の記憶部に記憶されるゾーン設定情報を示す図。
【図６】上記第１実施形態における情報処理装置の記憶部に記憶される計算情報を示す図。
【図７】上記第１実施形態における情報処理装置の制御部の構成を示すブロック図。
【図８】上記第１実施形態における使用者情報登録画面の一例を示す図。
【図９】上記第１実施形態における分析結果画面の一例を示す図。
【図１０】上記第１実施形態における推移結果画面の一例を示す図。
【図１１】上記第１実施形態における生体情報検出装置の表示部に表示されるメッセージ表示画面の一例を示す図。
【図１２】本発明の第２実施形態に係る生体情報分析システムを示す模式図。
【図１３】上記第２実施形態における分析結果画面の一例を示す図。
【発明を実施するための形態】
【００２１】
［第１実施形態］
以下、本発明の第１実施形態を図面に基づいて説明する。
［生体情報分析システムの概略構成］
図１は、本実施形態に係る生体情報分析システム１を示す模式図である。
本実施形態に係る生体情報分析システム１では、図１に示すように、生体情報検出装置（以下、検出装置という場合がある）２と、情報処理装置３と、を備える。
この生体情報分析システム１では、検出装置２は、生体情報及び体動情報を検出して情報処理装置３に送信する。情報処理装置３は、受信された生体情報及び体動情報の他、使用者によって入力された使用者情報に基づいて、最大酸素摂取量の推定値及び運動能力指標を算出して提示する。また、検出装置２は、情報処理装置３から提示情報（例えば、後述する使用者の最大酸素摂取量に基づくメッセージ情報）を受信すると、当該提示情報を報知する。
以下、生体情報分析システム１の各構成について説明する。
【００２２】
［検出装置の構成］
図２は、生体情報検出装置２の構成を示すブロック図である。
生体情報検出装置２は、本発明の検出装置に相当し、使用者の手首に装着されて、上記生体情報及び体動情報を検出して記憶するウェアラブル機器である。この検出装置２は、上記のように、それぞれ検出及び記憶した生体情報及び体動情報を情報処理装置３に送信する他、当該情報処理装置３から受信される提示情報を使用者に報知する。
このような検出装置２は、図２に示すように、操作部２１、検出部２２、受信部２３、報知部２４、通信部２５、記憶部２６及び制御部２７を有し、これら各部２１〜２７は、バスライン２８によって電気的に接続されている。
【００２３】
［操作部の構成］
操作部２１は、使用者による入力操作を受け付け、当該入力操作に応じた操作信号を制御部２７に出力する。このような操作部２１は、検出装置２の筐体の外面に露出するように設けられたボタン２１１，２１２（図１参照）の入力操作に応じた操作信号を制御部２７に出力する。なお、操作部２１は、使用者の音声（使用者の声）を認識して、当該音声に応じた操作信号を制御部２７に出力する構成でもよい。また、操作部２１は、使用者のタップ操作を検出して、当該タップ操作に応じた操作信号を制御部２７に出力する構成であってもよい。
【００２４】
［検出部の構成］
検出部２２は、使用者の生体情報及び体動情報をそれぞれ検出する生体情報検出部２２１及び体動情報検出部２２２を有する。
生体情報検出部２２１は、検出装置２を装着した使用者の生体情報を検出する。本実施形態では、生体情報検出部２２１は、生体情報として脈波を検出して、当該脈波を示す脈波信号を出力する脈波センサーを有する。なお、生体情報検出部２２１は、生体情報として、脈波に代えて心拍を検出する構成としてもよく、これらに加えて、血圧、体温及び血糖値等を検出する構成としてもよい。
体動情報検出部２２２は、使用者の体動情報として、当該使用者の体動に応じて変化する加速度を検出する。本実施形態では、体動情報検出部２２２は、体動情報としての使用者の体動に伴って作用する加速度値（加速度データ）を検出する加速度センサーを有する。
【００２５】
［受信部の構成］
受信部２３は、検出装置２の現在位置を示す位置情報（すなわち、使用者の現在位置を示す位置情報）を取得する。例えば、受信部２３は、ＧＰＳ（Global Positioning System）等の衛星測位システムに対応し、衛星から送信される電波に基づいて上記現在位置を示す位置情報を取得する。そして、受信部２３は、取得された位置情報を、制御部２７に出力する。このような位置情報は、後述する解析部３６６による使用者の走行距離や、走行速度等の算出に用いられる。
【００２６】
［報知部の構成］
報知部２４は、制御部２７による制御の下、各種情報を報知する。例えば、報知部２４は、検出装置２の動作状態や、検出された情報及び情報処理装置３から受信したメッセージ情報を報知する。このような報知部２４は、表示部２４１、音声出力部２４２及び振動部２４３を有する。
表示部２４１は、液晶等の情報表示機能を有し、上記各種情報を表示する。このような表示部２４１は、後述する制御部２７の制御の下、例えば、メニュー画面や、メッセージ表示画面（図１１参照）を表示する。
音声出力部２４２は、スピーカーを備えて構成され、制御部２７から入力される音声情報に応じた音声を出力する。例えば、音声出力部２４２は、上記表示部２４１がメッセージ表示画面を表示する際に、メッセージ表示音を出力する。
振動部２４３は、後述する制御部２７により駆動が制御されるモーターを有し、当該モーターの駆動によって生じる振動により、当該生体情報検出装置２の状態を通知する。
【００２７】
［通信部の構成］
通信部２５は、本発明の検出装置側送信部に相当し、上記情報処理装置３等と通信可能な通信モジュールを有する。この通信部２５は、それぞれ検出及び取得された生体情報、体動情報及び位置情報を情報処理装置３に送信する。なお、本実施形態では、通信部２５は、近距離無線通信方式により情報処理装置３と無線で通信するが、クレードル等の中継装置を介して情報処理装置３と通信してもよく、或いは、ケーブルを介して情報処理装置３と通信してもよい。更に、通信部２５は、ネットワークを介して情報処理装置３等の外部機器と通信してもよい。
【００２８】
［記憶部の構成］
記憶部２６は、フラッシュメモリー等を有する記憶装置により構成され、検出装置２の動作に必要なプログラム及びデータを記憶している。
例えば、記憶部２６は、当該データとして、通信部２５を介して情報処理装置３と通信接続するための接続情報を予め記憶している。
また、記憶部２６は、制御部２７による制御の下、検出部２２により検出された生体情報及び体動情報と、受信部２３により取得された位置情報と、を記憶する。更に、記憶部２６は、情報処理装置３から通信部２５を介して取得された提示情報（メッセージ情報）を記憶する。
【００２９】
［制御部の構成］
図３は、制御部２７の構成を示すブロック図である。
制御部２７は、ＣＰＵ（Central Processing Unit）等の処理回路を備えて構成され、検出装置２の動作を自律的に、或いは、使用者の操作に応じて操作部２１から入力される操作信号に応じて制御する。この制御部２７は、例えば、検出部２２により検出された生体情報及び体動情報や、受信部２３により取得された位置情報を取得し、情報処理装置３に送信する。
このような制御部２７は、記憶部２６に記憶されたプログラムを上記処理回路が実行することにより実現される機能部として、図３に示すように、検出制御部２７１、報知制御部２７２、通信制御部２７３、計時部２７４及び情報取得部２７５を有する。
【００３０】
検出制御部２７１は、検出部２２の動作を制御し、当該検出部２２による検出結果を記憶部２６に記憶させる。この検出制御部２７１は、検出部２２による生体情報及び体動情報の検出が可能な状態であれば、当該検出部２２に各情報を検出させる。一方、検出制御部２７１は、検出部２２による各情報の検出を実行できない状態であれば、当該検出部２２の動作を停止させ、これにより、消費電力を抑制している。
【００３１】
報知制御部２７２は、報知部２４の動作を制御する。例えば、報知制御部２７２は、報知部２４の表示部２４１の動作を制御して、検出部２２により検出された生体情報及び体動情報を表示させる。
また、報知制御部２７２は、情報処理装置３からメッセージ情報を受信すると、報知部２４に当該メッセージ情報を報知させる。例えば、報知制御部２７２は、当該メッセージ情報に応じたメッセージを含むメッセージ表示画面を表示部２４１に表示させる。また、例えば、報知制御部２７２は、音声出力部２４２にメッセージ表示音を出力させる他、上記振動部２４３を振動させる。これにより、使用者は、自身に心臓疾患が発生する可能性が高いことを認識できる。
【００３２】
通信制御部２７３は、通信部２５を制御し、記憶部２６に記憶された上記接続情報に基づいて、上記情報処理装置３と通信させる。
計時部２７４は、現在日時を計時する。
情報取得部２７５は、検出部２２により検出された生体情報及び体動情報、並びに、受信部２３により取得された位置情報を取得し、これらを記憶部２６に記憶させる。この際、情報取得部２７５は、計時部２７４により計時されている現在日時を参照して、生体情報、体動情報及び位置情報とともに、これら情報の検出日時及び取得日時を記憶させる。
このようにして取得及び記憶された生体情報、体動情報及び位置情報は、上記通信制御部２７３による制御の下、通信部２５によって、情報処理装置３に送信される。
【００３３】
［情報処理装置の構成］
図４は、情報処理装置３の構成を示すブロック図である。
情報処理装置３は、本発明の生体情報分析装置に相当し、例えばスマートフォン（多機能携帯電話機）、タブレット及びＰＣ（Personal Computer）等により構成される。この情報処理装置３は、上記のように、検出装置２から受信される生体情報及び体動情報に基づく使用者の運動強度と、当該運動強度及び運動時間に基づく使用者の運動習慣レベルと、を算出（決定）する。そして、情報処理装置３は、表示した登録画面に入力された使用者情報と、上記運動習慣レベルとに基づいて、最大酸素摂取量を推定する。更に、情報処理装置３は、推定された最大酸素摂取量に応じたメッセージを含むメッセージ情報を送信するとともに、当該メッセージ情報を表示する。更に、情報処理装置３は、使用者の操作に応じて、当該最大酸素摂取量に基づく運動能力指標を表示する。
このような情報処理装置３は、図４に示すように、操作部３１、通信部３２、表示部３３、音声出力部３４、記憶部３５及び制御部３６を備え、これらは互いにバスライン３７により接続されている。
【００３４】
［操作部の構成］
操作部３１は、使用者による入力操作を受け付け、当該入力操作に応じた操作情報を制御部３６に出力する。このような操作部３１は、例えば、情報処理装置３の筐体に設けられた物理キーやタッチパネル等により構成できる他、当該情報処理装置３に有線又は無線で接続されるキーボード及びポインティングデバイス等により構成できる。
【００３５】
［通信部の構成］
通信部３２は、検出装置２等の外部機器と通信可能な第１通信モジュールと、インターネット等のネットワーク上のサーバー（図示省略）と通信可能な第２通信モジュールとを有し、制御部３６による制御の下、当該外部機器及びサーバーと通信する。なお、当該外部機器及びサーバーのそれぞれと通信部３２とが同じ通信方式で通信可能である場合には、通信部３２は、第１通信モジュール及び第２通信モジュールのうち一方を備えていればよく、サーバーとの通信が不要であれば、第２通信モジュールはなくてもよい。
【００３６】
［表示部及び音声出力部の構成］
表示部３３は、本発明の範囲提示部、指標提示部及び推移情報提示部に相当する。この表示部３３は、例えば、液晶、有機ＥＬ（Electro-Luminescence）及び電気泳動等の各種表示パネルにより構成でき、後述する提示情報生成部３７０により生成された画像を表示する。具体的に、表示部３３は、制御部３６により実行されるＯＳ（Operating System）及び各種アプリケーションの実行画面（例えば、後述する実行画面ＥＳ）を表示する。
音声出力部３４は、スピーカーを備えて構成され、制御部３６から入力される音声情報に応じた音声を出力する。例えば、音声出力部３４は、制御部３６が後述する情報管理アプリケーションを実行する場合には、使用者に提示する情報に応じた音声を出力する。
【００３７】
［記憶部の構成］
記憶部３５は、ＳＳＤ（Solid State Drive）、ＨＤＤ（Hard Disk Drive）及びフラッシュメモリー等の記憶装置により構成され、情報処理装置３の動作に必要なプログラム及びデータを記憶する。このようなプログラムとして、記憶部３５は、情報処理装置３を制御するＯＳ（Operating System）の他、後述する生体情報分析アプリケーション（以下、分析アプリケーションという場合がある）を記憶している。
また、記憶部３５は、検出装置２から受信される各種情報及び後述する登録画面に対する入力内容の他、後述する解析部３６６及びレベル決定部３６７により用いられるゾーン設定情報及び計算情報を記憶する。
【００３８】
［ゾーン設定情報］
図５は、記憶部３５が記憶するゾーン設定情報の一例を示す図である。
上記記憶部３５は、以下に示すゾーン設定情報を記憶する。このゾーン設定情報は、使用者により実施される運動の運動強度をゾーンと呼称される複数の区分に振り分けたテーブルである。
具体的に、ゾーン設定情報には、図５に示すように、運動強度である％ＨＲＲ（Heart Rate Reserved）が、５０以上６０未満のゾーン（Ｚ１）と、６０以上７０未満のゾーン（Ｚ２）と、７０以上８０未満のゾーン（Ｚ３）と、８０以上９０未満のゾーン（Ｚ４）と、９０以上１００以下（Ｚ５）とに分けて、運動内容及びゾーン名称が設定されている。
【００３９】
詳述すると、％ＨＲＲが５０以上６０未満のゾーンには、運動内容として「ウォームアップ」が設定され、ゾーン名称には「Ｚ１」が設定されている。％ＨＲＲが６０以上７０未満のゾーンには、運動内容として「低強度の運動」が設定され、ゾーン名称には「Ｚ２」が設定されている。％ＨＲＲが７０以上８０未満のゾーンには、運動内容として「中強度の運動」が設定され、ゾーン名称には「Ｚ３」が設定されている。％ＨＲＲが８０以上９０未満のゾーンには、運動内容として「高強度の運動」が設定され、ゾーン名称には「Ｚ４」が設定されている。％ＨＲＲが９０以上１００以下のゾーンには、「最大運動（最大強度の運動）」が設定され、ゾーン名称には「Ｚ５」が設定されている。
なお、本実施形態では、運動強度は、カルボーネン法に基づく運動強度である％ＨＲＲに基づいてゾーンが設定されているが、これに限らず、例えば、％ＭＨＲ（Maximum Heart Rate）に基づいてゾーンが設定されてもよい。
【００４０】
［計算情報］
図６は、記憶部３５が記憶する計算情報の一例を示す図である。
記憶部３５は、以下に示す計算情報を記憶している。
計算情報は、後述する制御部３６による使用者の最大酸素摂取量を推定する際のインデックス値となる運動習慣レベルを算出するための情報である。
ここで、運動習慣レベルについて説明する。運動習慣レベルとは、所定の期間内（例えば、１週間）における生体情報及び体動情報に基づく使用者の運動の頻度や、実施される運動の強度等から算出される運動習慣を段階的に設定した数値により表したレベルのことである。本実施形態では、運動習慣レベルは、１１段階に設定され、当該レベルを示す数値が「０」から「１０」に設定されている。
なお、以下に説明する各運動習慣レベルに応じた運動（行動）の内容、走行距離及び歩行距離に基づく当該レベルの区分は、ＰＡＬ（Physical Activity Level）及びＰＡＲ（Physical Activity Rating）に基づいて予め設定されたものである。
このような運動習慣レベルを算出するための計算情報は、例えば、図６に示すように、「０〜１０」の運動習慣レベルごとに、当該運動習慣レベルに該当する行動内容と、走行距離及び歩行距離についての該当条件と、１週間における上記ゾーンの運動時間の合計値についての該当条件と、が設定されている。
【００４１】
具体的に、運動習慣レベル「１０」に該当する使用者の行動として、「１週間に４０ｋｍ以上のランニング、又は１週間に８時間以上の当該ランニングと同程度の身体活動」が設定されている。なお、当該身体活動の具体例として、「ジョギング、水泳、サイクリング、ボート漕ぎ、縄跳び、テニス、バスケットボール、ハンドボールなど」が挙げられている。
また、当該運動習慣レベルの走行距離には「４０ｋｍ以上」が設定されている。更に、上記合計時間についての該当条件には「ゾーンＺ５の運動時間とゾーンＺ４の運動時間との合計値が８時間以上であること」が設定されている。
【００４２】
また、運動習慣レベル「９」に該当する使用者の行動として、「１週間に３２ｋｍ以上４０ｋｍ未満のランニング、又は１週間に７時間以上８時間未満の当該ランニングと同程度の身体活動」が設定されている。また、当該運動習慣レベルの走行距離には「３２ｋｍ以上４０ｋｍ未満」が設定されている。更に、上記合計時間についての該当条件には「ゾーンＺ５の運動時間とゾーンＺ４の運動時間との合計値が７時間以上であること」が設定されている。
【００４３】
運動習慣レベル「８」に該当する使用者の行動として、「１週間に２４ｋｍ以上３２ｋｍ未満のランニング、又は１週間に６時間以上７時間未満の当該ランニングと同程度の身体活動」が設定されている。また、当該運動習慣レベルの走行距離には「２４ｋｍ以上３２ｋｍ未満」が設定されている。更に、上記合計時間についての該当条件には「ゾーンＺ５の運動時間とゾーンＺ４の運動時間との合計値が６時間以上であること」が設定されている。
運動習慣レベル「７」に該当する使用者の行動として「１週間に１６ｋｍ以上２４ｋｍ未満のランニング、又は１週間に３時間以上６時間未満の当該ランニングと同程度の身体活動」が設定されている。また、当該運動習慣レベルの走行距離には「１６ｋｍ以上２４ｋｍ未満」が設定されている。更に、上記合計時間についての該当条件には、「ゾーンＺ５の運動時間とゾーンＺ４の運動時間との合計値が３時間以上であること」が設定されている。
【００４４】
運動習慣レベル「６」に該当する使用者の行動として「１週間に８ｋｍ以上１６ｋｍ未満のランニング、又は１週間に１時間以上３時間未満の当該ランニングと同程度の身体活動」が設定されている。また、当該運動習慣レベルの走行距離には「８ｋｍ以上１６ｋｍ未満」が設定されている。更に、上記合計時間についての該当条件には、「ゾーンＺ５の運動時間とゾーンＺ４の運動時間との合計値が１時間以上であること」が設定されている。
運動習慣レベル「５」に該当する使用者の行動として「１週間に１．６ｋｍ以上８ｋｍ未満のランニング、又は１週間に３０分以上６０分未満の当該ランニングと同程度の身体活動」が設定されているまた、当該運動習慣レベルの走行距離には「１．６ｋｍ以上８ｋｍ未満」が設定されている。更に、上記合計時間についての該当条件には、「ゾーンＺ５の運動時間とゾーンＺ４の運動時間との合計値が０．５時間以上であること」が設定されている。
【００４５】
運動習慣レベル「４」に該当する使用者の行動として「１週間に１．６ｋｍ未満のランニング、又は１週間に３０分未満の当該ランニングと同程度の身体活動」が設定されている。また、使用者の走行距離には「１．６ｋｍ未満」に設定され、歩行距離は「４ｋｍ以上」が設定されている。更に、上記合計時間についての該当条件には、「ゾーンＺ５の運動時間とゾーンＺ４の運動時間とゾーンＺ３の運動時間の合計値が１時間以上であること」が設定されている。
運動習慣レベル「３」に該当する使用者の行動としては、「１週間に１時間以上の適度な運動」が設定されている。なお、適度な運動としては、ゴルフ、乗馬、体操、卓球、ボウリング、重量挙げ、又は庭仕事等を例示できる。
また、当該運動習慣レベルの走行距離には「１．６ｋｍ未満」が設定されており、歩行距離には「２ｋｍ以上４ｋｍ未満」が設定されている。更に、上記合計時間についての該当条件には、「ゾーンＺ５の運動時間とゾーンＺ４の運動時間とゾーンＺ３の運動時間とゾーンＺ２の運動時間との合計値が１時間以上であること」が設定されている。
【００４６】
運動習慣レベル「２」に該当する使用者の行動として「１週間に１０分以上６０分未満の適度な運動」が設定されている。また、当該運動習慣レベルの走行距離には「１．６ｋｍ未満」が設定され、歩行距離には「１ｋｍ以上２ｋｍ未満」が設定されている。更に、上記合計時間についての該当条件には、「ゾーンＺ５の運動時間とゾーンＺ４の運動時間とゾーンＺ３の運動時間とゾーンＺ２の運動時間との合計値が０．１６時間以上であること」が設定されている。
運動習慣レベル「１」に該当する使用者の行動として「積極的に階段を利用する行動、時々息が上がる行動又は汗をかく運動」が設定されている。また、当該運動習慣レベルの走行距離には「１．６ｋｍ未満」が設定され、歩行距離には「０．５ｋｍ以上１ｋｍ未満」が設定されている。更に、上記合計時間についての該当条件には、「ゾーンＺ１からゾーンＺ５の全てのゾーンにおける運動時間の合計値が１時間以上であること」が設定されている。
運動習慣レベル「０」に該当する使用者の行動として「歩行や運動を避ける行動、エレベーターを使用する行動、又は徒歩圏内であっても車に乗る行動」が設定されている。また、当該運動習慣レベルの走行距離には「１．６ｋｍ未満」が設定され、歩行距離には「０．５ｋｍ未満」が設定されている。更に、上記合計時間についての該当条件には、「ゾーンＺ１からゾーンＺ５の全てのゾーンにおける運動時間の合計値が１時間未満であること」が設定されている。
【００４７】
このような計算情報に基づいて、使用者の運動習慣レベルが、１週間における使用者の行動、走行距離及び歩行距離、並びに、上記ゾーンの運動時間の合計値のいずれかに基づいて、後述する制御部３６（詳しくはレベル決定部３６７）により決定される。
なお、各運動習慣レベルに割り振られた行動、走行距離、歩行距離及び各ゾーンの運動時間の合計値は、あくまで一例であり、使用者情報や使用者の状態、最大酸素摂取量を推定する推定式に合わせて適宜変更してもよい。
【００４８】
［制御部の構成］
図７は、制御部３６の構成を示すブロック図である。
制御部３６は、ＣＰＵ（Central Processing Unit）を備えて構成され、記憶部３５に記憶されたプログラムを実行することにより、情報処理装置３の動作を制御する。このような制御部３６は、ＯＳ実行部３６Ａ及びアプリケーション実行部３６Ｂと、を有する。
【００４９】
ＯＳ実行部３６Ａは、記憶部３５に記憶されたＯＳを実行する機能部であり、通信制御部３６１、表示制御部３６２、音声出力制御部３６３及び計時部３６４を有する。
通信制御部３６１は、通信部３２を制御して、上記外部機器やサーバーと通信する。
表示制御部３６２は、上記実行画面や、他のアプリケーション及びＯＳの実行画面（他の構成により生成された実行画面）を表示部３３に表示させる。
音声出力制御部３６３は、ＯＳやアプリケーションの実行時に出力させる音声の音声情報を上記音声出力部３４に出力する。
計時部３６４は、現在日時を計時する。
【００５０】
アプリケーション実行部３６Ｂは、記憶部３５に記憶されたアプリケーションのうち、操作部３１から入力される操作情報に応じてＯＳ実行部３６Ａにより指示されたアプリケーションを実行する。
このアプリケーション実行部３６Ｂは、記憶部３５に記憶された分析アプリケーションを実行することによってそれぞれ機能する情報取得部３６５、解析部３６６、レベル決定部３６７、推定値算出部３６８、指標算出部３６９及び提示情報生成部３７０を有する。
【００５１】
［情報取得部の構成］
情報取得部３６５は、後述する分析アプリケーションの実行画面（使用者情報登録画面）にて使用者により入力された情報を取得する。この他、情報取得部３６５は、通信部３２を介して上記検出装置２から各種情報（生体情報、体動情報、位置情報及び日時情報）を取得し、記憶部３５に記憶及び登録させる。
【００５２】
［使用者情報登録画面］
図８は、使用者情報登録画面ＥＳ１の一例を示す図である。
使用者情報登録画面ＥＳ１は、上記分析アプリケーションの実行時に表示される実行画面ＥＳの１つであり、上記使用者情報を入力及び登録する画面である。この使用者情報登録画面ＥＳ１には、図８に示すように、画面上部及び画面下部にそれぞれ固定表示領域Ｆ１，Ｆ２が設定され、これらの間に可変表示領域Ｖ１が設定されている。
【００５３】
画面上部の固定表示領域Ｆ１の上段には、計時部３６４により計時されている現在時刻が設定される時刻表示領域Ｆ１１が配置されている。また、固定表示領域Ｆ１の下段における左側には、押下（入力）されるとメニュー画面（図示省略）に遷移するボタンＦ１２が配置され、右側には、押下されるとヘルプ画面（図示省略）に遷移するボタンＦ１３が配置されている。これらボタンＦ１２，Ｆ１３に挟まれた領域には、画面の内容を示すタイトルＦ１４が配置されている。
画面下部の固定表示領域Ｆ２の左右には、ボタンＦ２１，Ｆ２２が配置されている。これらボタンＦ２１，Ｆ２２は、画面を遷移するためのボタンである。
【００５４】
可変表示領域Ｖ１には、使用者情報（使用者の氏名）及び上記初期設定情報の各入力欄が設けられている。
具体的に、可変表示領域Ｖ１には、使用者情報のうち、使用者の姓を漢字及び平仮名で入力させる姓入力欄Ｖ１０１，Ｖ１０３と、使用者の名を漢字及び平仮名で入力させる名入力欄Ｖ１０２，Ｖ１０４とが設けられている。
また、可変表示領域Ｖ１には、上記初期設定情報のうち、使用者の性別、年齢、身長、体重及びＢＭＩを、それぞれ入力させる入力欄Ｖ１０５〜Ｖ１０９と、登録ボタンＶ１１０及びキャンセルボタンＶ１１１が配置されている。これらのうち、使用者の性別を入力させる性別入力欄Ｖ１０５には、「男」及び「女」を選択するためのラジオボタンが設けられている。
【００５５】
そして、登録ボタンＶ１１０が押下されると、各入力欄Ｖ１０１〜Ｖ１０９に対する入力内容が上記情報取得部３６５により取得され、記憶部３５に記憶される。
なお、ＢＭＩは、上記のように、身長及び体重に基づいて算出可能である。このため、身長入力欄Ｖ１０７及び体重入力欄Ｖ１０８に身長及び体重が入力されると、ＢＭＩ入力欄Ｖ１０９には、入力された身長及び体重に基づくＢＭＩが設定される。
また、上記入力内容の登録時には、初期設定情報に含まれる体型は、設定されたＢＭＩに基づいて決定されて登録される。
一方、キャンセルボタンＶ１１１が押下されると、使用者情報登録画面ＥＳ１の直前に表示されていた画面（例えば、メニュー画面）に戻る。
このような使用者情報登録画面ＥＳ１に入力された使用者情報は、上記のように、情報取得部３６５により取得される。
【００５６】
［解析部の構成］
図７に戻り、解析部３６６は、検出装置２から受信した生体情報、体動情報、位置情報及び日時情報を解析し、使用者の消費カロリー、走行距離、歩行距離、歩数、運動強度（ゾーンＺ１〜Ｚ５）、運動時間等の解析結果を生成する。
なお、本実施形態では、解析部３６６による解析処理は、使用者が当該検出装置２の使用を開始してから１週間毎に実行されるが、当該期間は適宜変更可能である。
【００５７】
レベル決定部３６７は、所定の期間（例えば、１週間）における生体情報、体動情報及び位置情報と、上記計算情報とに基づいて、使用者の運動習慣レベルを決定する。
詳述すると、レベル決定部３６７は、記憶部３５に記憶されたゾーン設定情報及び計算情報に基づいて、使用者の生体情報、体動情報、運動強度及び運動時間から、当該運動がゾーンＺ１〜Ｚ５のいずれのゾーンに属するかを検出し、更に、当該ゾーンＺ１〜Ｚ５毎の運動時間の合計値から、運動習慣レベル（「０」〜「１０」のいずれか）を決定する。
例えば、使用者が１週間の期間内に、ゾーンＺ５の運動を１時間、ゾーンＺ４の運動を５時間、ゾーンＺ３の運動を２時間、ゾーンＺ２の運動を１時間、ゾーンＺ１の運動を０．５時間実行した場合、当該使用者の運動習慣レベルは、計算情報の各ゾーンの運動時間に基づいて、「８」と決定される。
【００５８】
なお、解析部３６６が、上記所定の期間における位置情報の推移に基づく使用者の移動距離及び移動速度に基づいて走行距離及び歩行距離を算出する場合には、レベル決定部３６７は、当該走行距離及び歩行距離に基づいて、運動習慣レベルを決定してもよい。
また、表示制御部が、所定期間の間に実施した運動内容を使用者に入力させる運動内容入力画面を表示部に表示させ、使用者によって入力された運動内容と、上記計算情報に含まれる各運動習慣レベルに応じた行動内容とに基づいて、レベル決定部が、使用者の運動習慣レベルを決定してもよい。
【００５９】
推定値算出部３６８は、本発明の推定部に相当し、レベル決定部３６７により決定された使用者の運動習慣レベルと、使用者により入力された使用者情報とに基づいて、使用者の最大酸素摂取量を推定する。この使用者情報は、使用者の年齢、性別及びＢＭＩであり、当該使用者の入力操作により記憶部３５に記憶される。この推定値算出部３６８は、上記ジャクソンの式に運動習慣レベル（例えば、「８」）と、使用者の年齢、性別及びＢＭＩを代入し、最大酸素摂取量の推定値を算出する。
なお、使用者の年齢、性別及びＢＭＩは、提示情報生成部３７０により生成され、表示部３３に表示される使用者情報の登録画面の使用者による操作により入力される。
【００６０】
指標算出部３６９は、生体情報、体動情報、運動習慣レベル、使用者情報及び最大酸素摂取量の推定値に基づいて使用者の運動能力を示す運動能力指標を算出する。
本実施形態では、指標算出部３６９は、使用者のフルマラソンの予想タイムを運動能力指標として算出する。例えば、指標算出部３６９は、使用者の身長や体重、使用者の走行距離及び運動時間（走行時間）から算出される走行速度、使用者の最大酸素摂取量の推定値に基づいて、当該使用者のフルマラソンの予想タイムを算出する。
【００６１】
提示情報生成部３７０は、分析アプリケーションの実行画面ＥＳを生成する。例えば、提示情報生成部３７０は、上記使用者情報登録画面ＥＳ１（図８参照）を生成する他、使用者の最大酸素摂取量の推定値を分析した分析結果画面ＥＳ２（図９参照）を生成する。また、提示情報生成部３７０は、当該最大酸素摂取量の推定値の推移及びフルマラソンの予想タイムの推移を含む推移結果画面ＥＳ３（図１０参照）を生成する。これら各種画面は、表示制御部３６２の制御により、表示部３３に表示される。
【００６２】
［分析結果画面］
図９は、分析結果画面ＥＳ２の一例を示す図である。
分析結果画面ＥＳ２は、上記実行画面ＥＳに含まれる画面であり、使用者情報に基づいて設定される所定の条件に該当する人の最大酸素摂取量の値の分布における、使用者の最大酸素摂取量の推定値に対応する位置を示す画面である。具体的には、分析結果画面ＥＳ２では、使用者と同一の年齢及び性別である人の最大酸素摂取量の値の分布における当該使用者の最大酸素摂取量の推定値の位置、すなわち、当該使用者の最大酸素摂取量の推定値に対応する位置が示される。この分析結果画面ＥＳ２には、図９に示すように、画面上部及び画面下部にそれぞれ固定表示領域Ｆ１，Ｆ２が設定され、これらの間に可変表示領域Ｖ２が設定されている。
なお、使用者の年齢及び性別の最大酸素摂取量の値の分布に関する情報は、通信部３２を介して不図示のサーバー等から情報取得部３６５が取得してもよいし、予め記憶部３５に記憶されていてもよい。
【００６３】
可変表示領域Ｖ２には、使用者と同一の年齢及び性別であるグループの最大酸素摂取量の値の分布が示されたグラフＶ２１が表示される。このグラフＶ２１の縦軸には、図９に示すように、グループの人数が設定され、当該グラフＶ２１の上部に向かうほど人数が多いことを示している。また、グラフＶ２１の横軸には、最大酸素摂取量の値が設定され、当該グラフＶ２１の右側に向かうほど、最大酸素摂取量の値が大きいことが示されている。すなわち、グラフＶ２１では、所定の範囲の最大酸素摂取量の値ごとの上記人数が棒グラフで示されている。
また、可変表示領域Ｖ２には、グラフＶ２１の下部にマークＶ２２が設定される。このマークＶ２２は、使用者の最大酸素摂取量の推定値に対応する位置を示す機能を有する。すなわち、使用者の最大酸素摂取量の推定値に対応する位置は、当該マークＶ２２により指示される。更に、可変表示領域Ｖ２には、マークＶ２２の下部に使用者の最大酸素摂取量の推定値（Ｖ２３）が表示される。これにより、使用者は、自己の最大酸素摂取量の推定値、及び、当該使用者の年齢及び性別が同一のグループ内での自己の最大酸素摂取量の推定値の位置を認識できる。
【００６４】
［推移結果画面］
図１０は、推移結果画面ＥＳ３の一例を示す図である。
推移結果画面ＥＳ３は、上記実行画面ＥＳに含まれる画面であり、所定の期間内（例えば、４ケ月間）の最大酸素摂取量の推定値の推移及びフルマラソンの予想タイムの推移を示す画面である。具体的には、提示情報生成部３７０は、使用者により指定された日時、若しくは、当該日時を含む週の最大酸素摂取量の推定値に基づいて、最大酸素摂取量の推定値の推移情報を生成する。また、提示情報生成部３７０は、上記指標算出部３６９により算出された使用者のフルマラソンの予想タイムの推移情報を生成する。すなわち、推移結果画面ＥＳ３には、このようにして生成された最大酸素摂取量の推定値の推移情報及びフルマラソンの予想タイムの推移情報が当該最大酸素摂取量の推定値が算出された日時（最大酸素摂取量が推定された日時）と関連付けて表示される。また、推移結果画面ＥＳ３には、図１０に示すように、画面上部及び画面下部にそれぞれ固定表示領域Ｆ１，Ｆ２が設定され、これらの間に可変表示領域Ｖ３が設定されている。
【００６５】
可変表示領域Ｖ３には、使用者の最大酸素摂取量の推定値の推移情報及びフルマラソンの予想タイムの推移情報が示されたグラフＶ３１が表示される。このグラフＶ３１の左縦軸には、図１０に示すように、フルマラソンの予想タイムが設定され、当該グラフＶ３１の下部に向かうほど当該予想タイムが短いことが示されている。また、グラフＶ３１の右縦軸には、最大酸素摂取量の値が設定され、当該グラフＶ３１の上部に向かうほど当該最大酸素摂取量の値が大きいことが示されている。更に、グラフＶ３１の横軸には、使用者の最大酸素摂取量の推定値及びフルマラソンの予想タイムが属する日付が設定されている。
【００６６】
具体的には、グラフＶ３１では、２０１４年９月５日、同年１０月５日、同年１１月５日及び同年１２月５日の使用者の最大酸素摂取量の推定値及びフルマラソンの予想タイムが表示されている。詳述すると、同年９月５日の使用者の最大酸素摂取量の推定値Ｖ３１１は、３０ｍｌ／ｋｇ／ｍｉｎであり、フルマラソンの予想タイムＶ３１５は、４．５時間である。また、同年１０月５日の使用者の最大酸素摂取量の推定値Ｖ３１２は、４０ｍｌ／ｋｇ／ｍｉｎであり、フルマラソンの予想タイムＶ３１６は、４．２５時間である。更に、同年１１月５日の使用者の最大酸素摂取量の推定値Ｖ３１３は、４０ｍｌ／ｋｇ／ｍｉｎであり、フルマラソンの予想タイムＶ３１７は、４．２５時間である。最後に、同年１２月５日の使用者の最大酸素摂取量の推定値Ｖ３１４は、５０ｍｌ／ｋｇ／ｍｉｎであり、フルマラソンの予想タイムＶ３１８は、３．９時間である。
また、可変表示領域Ｖ３には、フルマラソンの予想タイムＶ３１５〜Ｖ３１８の近似直線Ｖ３１９が表示される。これにより、使用者は、当該使用者の４か月間の最大酸素摂取量の推定値Ｖ３１１〜Ｖ３１４の推移、フルマラソンの予想タイムＶ３１５〜Ｖ３１８の推移、及び上記近似直線Ｖ３１９を容易に認識できる。
【００６７】
［検出装置におけるメッセージ表示処理］
図１１は、検出装置２の表示部２４１に表示されるメッセージ表示画面ＳＣ１の一例を示す図である。
検出装置２は、情報処理装置３から推定された最大酸素摂取量の推定値及び当該推定値に応じたメッセージを含むメッセージ情報を受信すると、図１１に示すように、表示部２４１にメッセージ情報を表示させる。具体的に、表示部２４１には、メッセージ表示画面ＳＣ１が設定され、当該メッセージ表示画面ＳＣ１には、使用者の最大酸素摂取量の推定値及び「心臓疾患が発生するおそれがあります。運動しましょう！」の文字が表示される。また、検出装置２の音声出力部２４２は、メッセージを表示したことを示す音声を出力し、かつ、振動部２４３が振動する。
なお、このようなメッセージは、例えば運動習慣が無い使用者、つまり運動能力が高くない使用者が、急に激しい運動を継続した場合に、使用者に報知するように構成してもよい。例えば、使用者が該当するインデックス値（運動習慣レベル）よりも所定値以上高いインデックス値（運動習慣レベル）に相当する運動（２ランクあるいは３ランク上の運動）を実施しているような状況が該当する。この場合、例えば上記メッセージ表示画面ＳＣ１には、使用者の最大酸素摂取量の推定値及び「運動強度を落としてください！危険です！」の文字を表示すればよい。これにより、使用者は、自らの運動能力以上の運動を実施していることに気づくことができ、それが心臓疾患を誘発するおそれがあることを認識できる。
また、当該メッセージ表示画面ＳＣ１は、情報処理装置３の表示部３３に表示されてもよい。
【００６８】
［第１実施形態の効果］
以上、説明した第１実施形態に係る生体情報分析システム１によれば、以下の効果がある。
本実施形態に係る生体情報分析システム１によれば、使用者の生体情報及び体動情報に基づいて当該使用者の運動習慣レベルを決定でき、当該決定した運動習慣レベル及び使用者情報に基づいて、上記ジャクソンの式を用いた最大酸素摂取量の推定値の算出方法を採用することにより、最大酸素摂取量の推定値を算出できる。従って、上記特許文献１に記載の気相系呼吸機能検査システムのように、マスクを装着した状態で負荷のかかる運動を行なうことなく、使用者の最大酸素摂取量の推定値を容易に算出できる。この他、トレッドミルを必ずしも利用しなくても当該推定値を算出できるので、比較的簡易な構成により、使用者の最大酸素摂取量の推定値を算出できる。
また、上記特許文献１に記載の気相系呼吸機能検査システムでは、最大酸素摂取量を測定するために、使用者は、マスクを装着した上で運動する必要があり、衛生的な問題が生じる可能性がある。これに対し、本実施形態では、マスクを装着する必要がないので、衛生的に最大酸素摂取量の推定値を算出できる。
【００６９】
使用者と同一の年齢及び性別のグループにおける最大酸素摂取量の値の分布が提示されるので、当該グループの分布を容易に認識できる。また、複数のグループにおける最大酸素摂取量の値の分布が提示されれば、使用者は、グループごとの最大酸素摂取量の値の分布を比較できる。
使用者の最大酸素摂取量の推定値を含む推移結果画面ＥＳ３が表示部３３に表示されるので、使用者は、表示部３３を確認するだけで、容易に自己の最大酸素摂取量の推定値及び当該最大酸素摂取量の推定値の推移を認識できる。
また、使用者と同一の年齢及び性別のグループの最大酸素摂取量の値の分布における当該使用者の最大酸素摂取量の推定値に対応する位置を認識できる。これによれば、使用者は、自己の立ち位置、すなわち、グループ内の自己の最大酸素摂取量の推定値を客観的に認識できる。従って、使用者の運動意欲を高めることができる。
【００７０】
本実施形態によれば、使用者の運動能力指標であるフルマラソンの予想タイム及び当該予想タイムの推移情報を推移結果画面ＥＳ３により提示できるので、最大酸素摂取量に関する詳しい知識を有さない使用者であっても、自身の運動能力を簡易に把握できる。また、これにより、より一層、使用者の運動意欲を高めることができる。
【００７１】
本実施形態によれば、使用者情報登録画面ＥＳ１の操作により入力された使用者の身長及び体重を取得できるので、ＢＭＩを算出できる。これによれば、使用者情報としてＢＭＩの値を取得できなくても、上記ジャクソンの式を用いて最大酸素摂取量の推定値を確実に算出できる。従って、使用者の利便性を高めることができる。
【００７２】
本実施形態によれば、情報処理装置３は、検出装置２により使用者の生体情報及び体動情報が検出され、当該情報処理装置３に送信されることから、情報処理装置３が当該生体情報及び体動情報を検出する検出部２２を備える必要がない。従って、使用者は、検出装置２を装着することにより、使用者の運動習慣レベルを算出するための生体情報及び体動情報を取得できるので、使用者による入力操作によって当該生体情報及び体動情報が取得される場合に比べて、最大酸素摂取量の推定値の算出を容易に実施させることができる。
【００７３】
［第２実施形態］
次に、本発明の第２実施形態について説明する。
本実施形態に係る生体情報分析システムは、上記生体情報分析システム１と同様の構成を備えるが、当該生体情報分析システム１を構成する検出装置２及び情報処理装置３と同様の検出装置及び情報処理装置をそれぞれ複数備え、これら複数の情報処理装置がネットワークを介してサーバーと接続されている点で、上記生体情報分析システム１と相違する。なお、以下の説明では、既に説明した部分と同一又は略同一である部分については、同一の符号を付して説明を省略する。
【００７４】
図１２は、本実施形態に係る生体情報分析システム１Ａを示す模式図である。
本実施形態に係る生体情報分析システム１Ａは、使用者Ｕ１によって使用される検出装置２（２Ａ）及び情報処理装置３（３Ａ）と、使用者Ｕ２によって使用される検出装置２（２Ｂ）及び情報処理装置３（３Ｂ）と、使用者Ｕ３によって使用される検出装置２（２Ｃ）及び情報処理装置３（３Ｃ）と、サーバー４とを備える。
これら複数の検出装置２Ａ〜２Ｃは、それぞれ上記検出装置２と同様の構成を備える。また、複数の情報処理装置３Ａ〜３Ｃは、それぞれ上記情報処理装置３と同様の構成を備える。これら複数の検出装置２Ａ〜２Ｃは、検出装置２及び情報処理装置３と同様に、それぞれ情報処理装置３Ａ〜３Ｃと無線通信により接続される。また、複数の情報処理装置３Ａ〜３Ｃは、ネットワークを介してサーバー４に接続される。
サーバー４は、情報処理装置３Ａ〜３Ｃのそれぞれと接続され、これら情報処理装置３Ａ〜３Ｃから上記使用者Ｕ１〜Ｕ３の使用者情報の他、当該情報処理装置３Ａ〜３Ｃにより推定（算出）された最大酸素摂取量の推定値を取得する機能を有する。また、サーバー４は、情報処理装置３Ａ〜３Ｃのそれぞれから取得した使用者情報及び最大酸素摂取量の推定値に基づいて、使用者Ｕ１〜Ｕ３及び、当該情報処理装置３Ａ〜３Ｃ以外の情報処理装置を使用する全ての使用者（以下、他の使用者Ｕｎという）における、自己の最大酸素摂取量の推定値に対応する位置を示すグラフを生成する。すなわち、本実施形態において、サーバー４は、上記提示情報生成部３７０として機能し、分析結果画面ＥＳ４を生成する。
【００７５】
図１３は、分析結果画面ＥＳ４の一例を示す図である。なお、分析結果画面ＥＳ４は、使用者Ｕ１〜Ｕ３のそれぞれの最大酸素摂取量の推定値の他、他の使用者Ｕｎの最大酸素摂取量の推定値を含む。
分析結果画面ＥＳ４は、上記実行画面ＥＳに含まれる画面であり、上記使用者Ｕ１〜Ｕ３及び他の使用者Ｕｎの最大酸素摂取量の推定値の分布内における、推定値算出部３６８により推定された自己（例えば、使用者Ｕ１）の最大酸素摂取量の推定値に対応する位置を示す画面である。すなわち、本実施形態では、分析結果画面ＥＳ４は、日常的な運動を開始してからの期間、同じ器具（検出装置２及び情報処理装置３）を用いている使用者のグループの分布における自己の最大酸素摂取量の推定値に対応する位置を示す。具体的には、分析結果画面ＥＳ４では、使用者Ｕ１〜Ｕ３及び他の使用者Ｕｎの最大酸素摂取量の推定値の分布における当該使用者の最大酸素摂取量の推定値に対応する位置が示される。この分析結果画面ＥＳ４には、図１３に示すように、画面上部及び画面下部にそれぞれ固定表示領域Ｆ１，Ｆ２が設定され、これらの間に可変表示領域Ｖ２が設定されている。
【００７６】
可変表示領域Ｖ４には、使用者Ｕ１〜Ｕ３及び他の使用者Ｕｎの最大酸素摂取量の推定値の分布が示されたグラフＶ４１が表示される。このグラフＶ４１の縦軸には、図１３に示すように、上記グループの人数が設定され、当該グラフＶ４１の上部に向かうほど人数が多いことを示している。また、グラフＶ４１の横軸には、最大酸素摂取量の推定値が設定され、当該グラフＶ４１の右側に向かうほど、最大酸素摂取量の推定値が大きいことが示されている。すなわち、グラフＶ４１では、所定の数値範囲の最大酸素摂取量の推定値ごとの上記人数が棒グラフで示されている。
また、可変表示領域Ｖ４には、グラフＶ４１の下部にマークＶ４２が設定される。このマークＶ４２は、使用者の最大酸素摂取量の推定値に対応する位置を示す機能を有する。すなわち、使用者の最大酸素摂取量の推定値に対応する位置は、当該マークＶ４２により指示される。更に、可変表示領域Ｖ４には、マークＶ４２の下部に使用者の最大酸素摂取量の推定値（Ｖ４３）が表示される。これにより、使用者（例えば、使用者Ｕ１）は、自己の最大酸素摂取量の推定値（Ｖ４３）、及び、使用者Ｕ１〜Ｕ３及び他の使用者Ｕｎにおける自己の最大酸素摂取量の推定値の位置を認識できる。
【００７７】
［第２実施形態の効果］
本実施形態によれば、上記第１実施形態と同様の効果を奏する他、以下の効果を奏する。
本実施形態では、分析結果画面ＥＳ４において、使用者Ｕ１〜Ｕ３及び他の使用者Ｕｎにおける最大酸素摂取量の推定値の分布における自己の最大酸素摂取量の推定値に対応する位置がマークＶ４２により指示される。これにより、使用者は、使用者Ｕ２，Ｕ３及び他の使用者Ｕｎにおける自己（使用者Ｕ１）の最大酸素摂取量の推定値に対応する位置を客観的に認識できる。これによれば、使用者の運動意欲を更に高めることができる。
【００７８】
［実施形態の変形］
本発明は、上記実施形態に限定されるものではなく、本発明の目的を達成できる範囲での変形、改良等は本発明に含まれるものである。
上記第１実施形態では、推移結果画面ＥＳ３を表示部３３に表示することにより、使用者の最大酸素摂取量の推定値及び当該推定値の推移情報を表示することとした。しかしながら、本発明は、これに限らない。例えば、使用者の最大酸素摂取量の推定値の推移情報は、表示部３３に表示しなくてもよい。加えて、当該最大酸素摂取量の推定値を検出装置２，２Ａ〜２Ｃに送信し、当該検出装置２，２Ａ〜２Ｃの表示部２４１に表示させるようにしてもよい。
【００７９】
上記各実施形態では、分析結果画面ＥＳ２，ＥＳ４を表示部３３に表示させることにより、所定の条件に該当する人の最大酸素摂取量の値若しくは最大酸素摂取量の推定値の分布における当該使用者の最大酸素摂取量の推定値に対応する位置を提示することとした。しかしながら、本発明は、これに限らない。例えば、分析結果画面ＥＳ２，ＥＳ４を表示部３３に表示しなくてもよい。また、分析結果画面ＥＳ２，ＥＳ４に代えて、使用者の最大酸素摂取量の推定値のみを表示部３３に表示させるようにしてもよい。
【００８０】
上記第１実施形態では、分析結果画面ＥＳ２を表示部３３に表示させることにより、使用者と同一の年齢及び性別のグループの最大酸素摂取量の値の分布における使用者の最大酸素摂取量の推定値に対応する位置を提示することとした。しかしながら、本発明は、これに限らない。例えば、使用者と同じ性別のグループの最大酸素摂取量の値の分布における使用者の最大酸素摂取量の推定値に対応する位置を提示してもよいし、使用者と同じ年齢のグループの最大酸素摂取量の値の分布における使用者の最大酸素摂取量の推定値に対応する位置を提示することとしてもよい。
【００８１】
上記各実施形態では、分析結果画面ＥＳ２，ＥＳ４にグラフＶ２１，Ｖ４１及びマークＶ２２，Ｖ４２を提示することにより、各種グループの最大酸素摂取量の値の分布における使用者の最大酸素摂取量の推定値に対応する位置を提示することとした。しかしながら、本発明は、これに限らない。例えば、グラフＶ２１，Ｖ４１及びマークＶ２２，Ｖ４２を表示しなくてもよい。この場合、例えば、各種グループ内での自己の最大酸素摂取量の推定値の順位（例えば、１８位等）を表示するようにしてもよい。これによれば、グループ内における自己の最大酸素摂取量の推定値に対応する位置をより客観的に認識できる。
【００８２】
上記第１実施形態では、推移結果画面ＥＳ３を表示部３３に表示させることにより、使用者の運動能力指標として、フルマラソンンの予想タイムＶ３１５〜Ｖ３１８及び上記近似直線Ｖ３１９を提示することとした。しかしながら、本発明は、これに限らない。例えば、フルマラソンの予想タイムＶ３１５〜Ｖ３１８を提示しなくてもよい。また、推移結果画面ＥＳ３において、各日付のフルマラソンの予想タイムＶ３１５〜Ｖ３１８を表示することなく、近似直線Ｖ３１９のみを表示することとしてもよい。更に、各日付のフルマラソンの予想タイムＶ３１５〜Ｖ３１８のみを表示し、近似直線Ｖ３１９を表示しなくてもよい。
【００８３】
なお、上記各実施形態では、指標算出部３６９は、生体情報、体動情報、運動習慣レベル、使用者情報及び最大酸素摂取量の推定値に基づいて使用者の運動能力を示す運動能力指標としてフルマラソンの予想タイムを算出することとした。しかしながら、本発明は、これに限らない。例えば、指標算出部３６９は、使用者情報及び使用者の最大酸素摂取量の推定値のみに基づいて、フルマラソンの予想タイムを算出するようにしてもよい。また、生体情報、体動情報、運動習慣レベルのうち、少なくともいずれかに基づいてフルマラソンの予想タイムを算出するようにしてもよい。
また、使用者の運動能力指標は、フルマラソンの予想タイムに限らない。例えば、指標算出部３６９は、ハーフマラソンの予想タイムや、３，０００ｍ走の予想タイム等を運動能力指標として算出するようにしてもよい。
更に、運動能力指標は、上記長距離走のタイムに限らず、他の指標（例えば、運動能力を示すレベルやランク等）であってもよい。
【００８４】
上記各実施形態では、使用者情報登録画面ＥＳ１において、身長及び体重を入力した際に、ＢＭＩが自動的に算出され登録されることとした。しかしながら、本発明は、これに限らない。例えば、使用者自らＢＭＩを入力するようにしてもよい。また、ＢＭＩが身長及び体重より先に入力された場合には、使用者の身長及び体重を入力しなくてもよい。
【００８５】
上記各実施形態では、レベル決定部３６７は、所定の期間である１週間における使用者の生体情報及び体動情報に基づいて、運動習慣レベルを決定することとした。しかしながら、本発明は、これに限らない。例えば、上記所定の期間は、２週間であってもよいし、４週間であってもよい。要すれば、所定の期間は、１週間以上であれば、どのような期間であってもよい。
また、上記各実施形態では、各ゾーンの運動時間に基づいて運動習慣レベルを決定することとした。しかしながら、本発明は、これに限らない。例えば、レベル決定部３６７は、解析部３６６により使用者の走行距離及び歩行距離を検出し、当該走行距離及び歩行距離に基づいて運動習慣レベルを決定してもよい。
【００８６】
上記各実施形態では、推定値算出部３６８は、所謂ジャクソンの式に運動習慣レベルと、使用者の年齢、性別及びＢＭＩを代入し、最大酸素摂取量の推定値を算出することとした。しかしながら、本発明は、これに限らない。例えば、推定値算出部３６８は、上記ジャクソンの式に限らず、最大心拍数及び安静時心拍数から最大酸素摂取量を推定するようにしてもよい。
【００８７】
上記各実施形態では、生体情報として脈波を検出することとした。しかしながら、本発明は、これに限らない。例えば、生体情報として、使用者の心拍数、血糖値等を上記脈波に加えて、若しくは上記脈波に代えて検出するようにしてもよい。
上記各実施形態では、検出装置２，２Ａ〜２Ｃを使用者の手首に装着することとした。しかしながら、本発明は、これに限らない。例えば、検出装置２，２Ａ〜２Ｃを使用者の足首や胸部等に装着するようにしてもよい。
【００８８】
上記各実施形態では、検出装置２は、生体情報を検出する生体情報検出部２２１を備えることとした。しかしながら、これに限らず、生体情報検出部２２１を備えなくてもよい。この場合、体動情報検出部２２２が体動情報として歩数を検出するようにしてもよい。これによれば、使用者の走行及び歩行距離に基づいてレベル決定部３６７が使用者の運動習慣レベルを決定できる。
また、検出装置２が活動量計を備え、消費カロリーを算出し、当該消費カロリーに基づいて運動習慣レベルを算出してもよい。
【００８９】
上記第２実施形態では、当該検出装置２Ａ〜２Ｃを使用する全ての使用者を含むグループ内での自己の最大酸素摂取量の推定値に対応する位置を分析結果画面ＥＳ４に表示することとした。しかしながら、本発明は、これに限らない。例えば、上記グループ内の使用者Ｕ１〜Ｕ３間で、情報共有設定がなされている場合には、当該情報共有がなされている使用者Ｕ１〜Ｕ３それぞれの上記グループ内での位置や、全体の中での順位、当該使用者Ｕ１〜Ｕ３間でのランキング等を分析結果画面に表示することとしてもよい。
【符号の説明】
【００９０】
１，１Ａ…生体情報分析システム、２，２Ａ〜２Ｃ…生体情報検出装置（検出装置）、３，３Ａ〜３Ｃ…情報処理装置（生体情報分析装置）、４…サーバー、２３…受信部、２５…通信部、２６…記憶部、３２…通信部、３３…表示部（範囲提示部及び指標提示部）、３５…記憶部、３６…制御部、２２１…生体情報検出部、２２２…体動情報検出部、３６５…情報取得部、３６６…解析部、３６７…レベル決定部、３６８…推定値算出部（推定部）、３６９…指標算出部、３７０…提示情報生成部、ＥＳ…実行画面、ＥＳ１…使用者情報登録画面、ＥＳ２，ＥＳ４…分析結果画面、ＥＳ３…推移結果画面。
【図１】
2016123816.tif 000003
【図２】
2016123816.tif 000004
【図３】
2016123816.tif 000005
【図４】
2016123816.tif 000006
【図５】
2016123816.tif 000007
【図６】
2016123816.tif 000008
【図７】
2016123816.tif 000009
【図８】
2016123816.tif 000010
【図９】
2016123816.tif 000011
【図１０】
2016123816.tif 000012
【図１１】
2016123816.tif 000013
【図１２】
2016123816.tif 000014
【図１３】
2016123816.tif 000015